(57)【要約】【課題】角度や放音方向を容易に調整できるとともに、適度な角度固定感が得られる回動固定機構、スピーカ装置及びスピーカシステムを提供すること。【解決手段】サテライトスピーカ１２のスピーカエンクロージャー３５は、基端部５１がベース部３１に固定された支持部３７の先端部５５に固定されクリック機構部によって、支持部３７の先端部５５に対して回転可能に保持される。また、スピーカエンクロージャーは、クリック機構部によって所定の回転角度ごとに位置決めされる。【選択図】図７
2016051998.tif 000002
【特許請求の範囲】
【請求項１】
円板形状をなし、外周部分において周方向に沿って形成された複数の歯部が設けられた固定部と、
前記固定部の周囲を回動するばね収容部と、
前記ばね収容部に一端が保持されるとともに、他端の位置が前記固定部に近接する方向に向かって変位する弾性部材と、
前記弾性部材の前記他端に設けられるボール部材と、を備え、
前記弾性部材と前記ボール部材との組が２組設けられ、前記弾性部材及び前記ボール部材の組の各々が、前記固定部の径方向において互いに対向する位置となり、前記固定部の径方向の外側から前記ボール部材を前記歯部に係合させるとともに、前記ばね収容部の回動に応じて異なる歯部に前記ボール部材を係合させることで前記ばね収容部を位置決めすることを特徴とする回動固定機構。
【請求項２】
ベース部と、
供給される音響信号に応じて音波を放射するスピーカユニットが設けられたスピーカエンクロージャーと、
基端部が前記ベース部に固定され、先端部に前記スピーカエンクロージャーが接続された支持部と、
前記支持部の先端部に設けられ、前記スピーカエンクロージャーを前記支持部に対して回転可能に保持するとともに、所定の回転角度ごとに前記スピーカエンクロージャーを位置決めするクリック機構部と、
を備えることを特徴とするスピーカ装置。
【請求項３】
前記クリック機構部は、前記支持部の先端部に固定される固定部と、前記スピーカエンクロージャーに固定されるばね収容部と、前記ばね収容部に収容され一端が保持されるとともに他端の位置が前記固定部に近接する方向に向かって変位する弾性部材と、前記弾性部材の前記他端に設けられるボール部材と、を備え、
前記弾性部材は、弾性力により前記ボール部材を前記固定部に当接させることによって前記スピーカエンクロージャーを所定の回転角度ごとに位置決めすることを特徴とする請求項２に記載のスピーカ装置。
【請求項４】
前記固定部は、円板形状をなし、外周部分において周方向に沿って形成された複数の歯部が設けられ、
前記弾性部材は、前記固定部の径方向の外側から前記ボール部材を前記歯部に係合させるとともに、前記スピーカエンクロージャーの回転に応じて異なる歯部に前記ボール部材を係合させることで位置決めすることを特徴とする請求項２又は請求項３に記載のスピーカ装置。
【請求項５】
前記弾性部材と前記ボール部材との組が２組設けられ、前記弾性部材及び前記ボール部材の組の各々が、前記固定部の径方向において互いに対向する位置となることを特徴とする請求項４に記載のスピーカ装置。
【請求項６】
前記クリック機構部は、前記スピーカエンクロージャーが所定の回転角度以上に回転するのを規制する規制部が設けられることを特徴とする請求項２乃至請求項５のいずれかに記載のスピーカ装置。
【請求項７】
前記クリック機構部は、前記スピーカエンクロージャーに内蔵されることを特徴とする請求項２乃至請求項６のいずれかに記載のスピーカ装置。
【請求項８】
前記支持部は、前記音響信号を前記スピーカユニットに供給するための音響ケーブルが前記基端部から前記先端部まで挿通可能な挿通孔が形成されることを特徴とする請求項２乃至請求項７のいずれかに記載のスピーカ装置。
【請求項９】
請求項２乃至請求項８のいずれかに記載のスピーカ装置を複数台と、低音用のサブスピーカとを備えるとともに、複数の前記スピーカ装置の各々が異なるチャンネルの音響信号を再生することを特徴とするスピーカシステム。
【発明の詳細な説明】
【技術分野】
【０００１】
本願に開示の技術は、回転あるいは回動する部材の角度を位置決めする技術に関するものである。
【背景技術】
【０００２】
従来、天井や壁等に固定した状態でスピーカユニットから放射される音波の方向（放音方向）を調整できるスピーカ装置がある（例えば、特許文献１など）。特許文献１に開示されるスピーカ装置では、スピーカユニットが取り付けられたスピーカエンクロージャーにボールスティックの下端部が連結されている。ボールスティックは、天井に取り付けたベースプレートに上端部のねじが螺合されており、下端部にスピーカエンクロージャーの上面を連結し天井から吊り下げた状態でスピーカエンクロージャーを保持する。スピーカエンクロージャーの上面には、ボールカバー内に収容されたボール部材が設けられている。スピーカ装置は、ボールカバー内にねじ込まれた角度調整ねじによってボール部材がボールカバーの内周面に押し当てられて摩擦力が発生し、角度調整ねじの締め付けによってスピーカエンクロージャーの回転が規制される。また、スピーカエンクロージャーは、角度調整ねじの締め付けを緩めることによって、ボール部材に上面を接触させながらボール部材の外周面に沿うように回動可能となり、放音方向の向きが調整可能となる。
【先行技術文献】
【特許文献】
【０００３】
【特許文献１】実開平５−６５１９１号公報
【発明の概要】
【発明が解決しようとする課題】
【０００４】
しかしながら、上記したスピーカ装置では、放音方向を変更する度に、角度調整ねじを緩める必要がある。また、このスピーカ装置では、角度調整ねじを緩めるとスピーカエンクロージャーが自由に回動可能となり、例えば、所望の放音方向としたスピーカエンクロージャーを角度が変わらないように手などで支えながら角度調整ねじを締め付けることが必要となる。結果として、このスピーカ装置では、所望の放音方向に調整する作業が煩雑となることが問題であった。
【０００５】
本願に開示される技術は、上記の課題に鑑み提案されたものである。角度や放音方向を容易に調整できるとともに、適度な角度固定感が得られる回動固定機構、スピーカ装置及びスピーカシステムを提供することを目的とする。
【課題を解決するための手段】
【０００６】
本願に開示される技術に係る回動固定機構は、円板形状をなし、外周部分において周方向に沿って形成された複数の歯部が設けられた固定部と、固定部の周囲を回動するばね収容部と、ばね収容部に一端が保持されるとともに、他端の位置が固定部に近接する方向に向かって変位する弾性部材と、弾性部材の他端に設けられるボール部材と、を備え、弾性部材とボール部材との組が２組設けられ、弾性部材及びボール部材の組の各々が、固定部の径方向において互いに対向する位置となり、固定部の径方向の外側からボール部材を歯部に係合させるとともに、ばね収容部の回動に応じて異なる歯部にボール部材を係合させることでばね収容部を位置決めすることを特徴とする。
【０００７】
当該回動固定機構では、外周部分に複数の歯部が設けられた円板形状の固定部を備え、当該固定部の周囲をばね収容部が回動する。弾性部材は、ばね収容部に一端が保持され、固定部に近接する方向に向かって変位する他端にボール部材が設けられる。そして、回動固定機構は、固定部の径方向の外側からボール部材を歯部に係合させて、ばね収容部の回転位置を位置決めする。好適には、当該回動固定機構をスピーカ装置のスピーカエンクロージャーに取り付けることによって、使用者等は、例えば、スピーカエンクロージャーを回転させるだけで、スピーカエンクロージャーに設けられたスピーカユニットの放音方向などを容易に変更することができる。さらに、当該回動固定機構では、弾性部材及びボール部材が２組設けられ、固定部の径方向（円形の直径方向）の両側からボール部材を歯部に係合させる。これにより、当該回動固定機構では、所定の回転角度に位置決めしたばね収容部に振動等が発生したとしても、固定部に対して対称な位置に配置した２組の弾性部材及びボール部材を用いてばね収容部をより安定的に保持し回転角度を維持することが可能となる。
【０００８】
また、本願に開示される技術に係るスピーカ装置は、ベース部と、供給される音響信号に応じて音波を放射するスピーカユニットが設けられたスピーカエンクロージャーと、基端部がベース部に固定され、先端部にスピーカエンクロージャーが接続された支持部と、支持部の先端部に設けられ、スピーカエンクロージャーを支持部に対して回転可能に保持するとともに、所定の回転角度ごとにスピーカエンクロージャーを位置決めするクリック機構部と、を備えることを特徴とする。
【０００９】
当該スピーカ装置では、スピーカエンクロージャーに設けられたスピーカユニットから音響信号に応じた音波を放射する。スピーカエンクロージャーは、基端部がベース部に固定された支持部の先端部に設けられたクリック機構部によって、支持部に対して回転可能に保持される。そして、クリック機構部は、スピーカエンクロージャーを所定の回転角度ごとに位置決めして保持する。ここで、従来のスピーカ装置では、例えば、放音方向を変更する度に、角度調整ねじを緩める、あるいは所望の放音方向としたスピーカエンクロージャーを角度が変わらないように手などで支えながら角度調整ねじを締め付けることが必要であった。これに対し、当該スピーカ装置では、クリック機構部によってスピーカエンクロージャーを支持部に対して回転可能に保持し、所定の回転角度ごとに位置決め可能となる。これにより、使用者等は、例えば、支持部を保持しながらスピーカエンクロージャーを回転させるだけで、スピーカユニットの放音方向を容易に変更することができる。
【００１０】
また、本願に開示される技術に係るスピーカ装置において、クリック機構部は、支持部の先端部に固定される固定部と、スピーカエンクロージャーに固定されるばね収容部と、ばね収容部に収容され一端が保持されるとともに他端の位置が固定部に近接する方向に向かって変位する弾性部材と、弾性部材の他端に設けられるボール部材と、を備え、弾性部材は、弾性力によりボール部材を固定部に当接させることによってスピーカエンクロージャーを所定の回転角度ごとに位置決めする構成としてもよい。
【００１１】
当該スピーカ装置では、支持部の先端部に固定部が設けられる。ばね収容部に収容された弾性部材は、ボール部材を固定部に当接させることによって、スピーカエンクロージャーを所定の回転角度ごとに位置決めする。ここで、従来のスピーカ装置では、例えば、角度を固定する際の角度調整ねじの締め付けが緩かった場合には、音楽を再生することでスピーカエンクロージャーに発生する振動によって、スピーカエンクロージャーの角度がずれてしまいスピーカユニットから視聴者の耳に届く直接音や間接音が変化してしまう虞があった。これに対し、当該スピーカ装置では、角度調整ねじの締め付け等が不要となり、スピーカエンクロージャーの回転角度を保持する保持力が弾性部材の弾性力によって一定の大きさに維持される。この弾性部材の弾性力は、弾性部材の材質や形状、ばね収容部の形状等の設計段階で決定される構造上の特徴によって一義的に設定できる。このため、当該スピーカ装置では、音楽等の再生中においても放音方向をより確実に保持できる。
【００１２】
また、本願に開示される技術に係るスピーカ装置において、固定部は、円板形状をなし、外周部分において周方向に沿って形成された複数の歯部が設けられ、弾性部材は、固定部の径方向の外側からボール部材を歯部に係合させるとともに、スピーカエンクロージャーの回転に応じて異なる歯部にボール部材を係合させることで位置決めする構成としてもよい。
【００１３】
当該スピーカ装置では、円板形状をなす固定部の外周部分に設けた歯部の形状、個数や周方向に並ぶ間隔等を変更することによって、回転動作するスピーカエンクロージャーをどのような回転角度に位置決めするかが調整可能となる。
【００１４】
また、本願に開示される技術に係るスピーカ装置において、弾性部材とボール部材との組が２組設けられ、弾性部材及びボール部材の組の各々が、固定部の径方向において互いに対向する位置となる構成としてもよい。
【００１５】
当該スピーカ装置のクリック機構部は、固定部の径方向（円形の直径方向）の両側からボール部材を歯部に係合させる。これにより、クリック機構部は、所定の回転角度に位置決めしたスピーカエンクロージャーに音楽再生中の振動等が発生したとしても、固定部に対して対称な位置に配置した２組の弾性部材及びボール部材を用いてスピーカエンクロージャーをより安定的に保持し放音方向を維持することが可能となる。
【００１６】
また、本願に開示される技術に係るスピーカ装置において、クリック機構部は、スピーカエンクロージャーが所定の回転角度以上に回転するのを規制する規制部が設けられる構成としてもよい。
【００１７】
スピーカエンクロージャーが回転方向に対して無条件に回転可能となると、スピーカユニットに音響信号を供給する音響ケーブルが絡まったり、断線したりする等の虞がある。これに対し、当該スピーカ装置のクリック機構は、スピーカエンクロージャーが所定の回転角度だけ回転すると、それ以上回転しないように規制部が回転を規制する。これにより、スピーカエンクロージャーの回転動作にともなってスピーカユニットの音響ケーブルが断線等する不具合が防止可能となる。
【００１８】
また、本願に開示される技術に係るスピーカ装置において、クリック機構部は、スピーカエンクロージャーに内蔵される構成としてもよい。
【００１９】
当該スピーカ装置では、クリック機構部がスピーカエンクロージャーに内蔵されることでスピーカ装置全体の小型化が可能となる。
【００２０】
また、本願に開示される技術に係るスピーカ装置において、支持部は、音響信号をスピーカユニットに供給するための音響ケーブルが基端部から先端部まで挿通可能な挿通孔が形成される構成としてもよい。
【００２１】
当該スピーカ装置では、スピーカユニットの音響ケーブルを支持部内に収容することで、音響ケーブルを支持部で保護し断線等を防止することが可能となる。
【００２２】
さらに、本願に係る発明は、スピーカ装置に限定されることなく、複数のスピーカ装置と、低音用のサブスピーカとを備えるスピーカシステムの発明としても実施し得るものである。
【発明の効果】
【００２３】
本願に開示される技術によれば、角度や放音方向を容易に調整できるとともに、適度な角度固定感が得られる回動固定機構、スピーカ装置及びスピーカシステムを提供することができる。
【図面の簡単な説明】
【００２４】
【図１】本実施形態に係るスピーカシステムの正面図である。
【図２】サテライトスピーカの斜視図である。
【図３】サテライトスピーカの底面図である。
【図４】サテライトスピーカの断面の模式図である。
【図５】歯車部材を取り外した状態のケースの平面図である。
【図６】歯車部材の斜視図である。
【図７】サテライトスピーカが回転する様子を説明するための側面図である。
【発明を実施するための形態】
【００２５】
以下、本発明を具体化した一実施形態について添付図面を参照しながら説明する。図１は、本実施形態に係るスピーカシステム１０を前方から見た図である。スピーカシステム１０は、２つのサテライトスピーカ１２，１３と、左右のサテライトスピーカ１２，１３の間に挟まれたサブウーファー１５とを備え、所謂２．１ｃｈサラウンドシステムを実現する。なお、サテライトスピーカ１２，１３は、例えば、指向性が比較的に強い中域から高域の周波数帯の音を出力するスピーカである。サブウーファー１５は、例えば、指向性が比較的に弱い低域の周波数帯の音を出力するスピーカである。また、スピーカシステム１０は、再生するチャンネル数などに応じてスピーカの数や配置を変更してもよい。
【００２６】
サブウーファー１５は、テーブル１７の上に載置されたベース部２１と、スピーカユニット２３が設けられたスピーカエンクロージャー２５とを備える。なお、以下の説明では、図１及び図２に示すように、サテライトスピーカ１２，１３及びサブウーファー１５が載置されるテーブル１７の載置面に対して直交する方向を上下方向、サテライトスピーカ１２，１３及びサブウーファー１５が並設される方向を左右方向、上下方向及び左右方向に直交する方向を前後方向（図２参照）と称して説明する。図１に示す場合では、サテライトスピーカ１２が、スピーカシステム１０の前方から見てサブウーファー１５の左側に配置され、サテライトスピーカ１３が右側に配置されている。
【００２７】
サブウーファー１５のベース部２１は、上方から見た形状が円形となる板状に形成され、テーブル１７の上面と対向する底面には後述するサテライトスピーカ１２，１３と同様に、ねじ止め等が可能な係合部（図３の係合部４３参照）が設けられている。スピーカエンクロージャー２５は、前後方向に延びる円筒形状に形成され、前面側の円形の開口にスピーカユニット２３が取り付けられている。スピーカエンクロージャー２５は、円筒形状の中心軸からの距離、即ち、円筒形状の半径が前方から後方に向かって徐々に縮径した円錐台形状となっている。ベース部２１の上面には、上方に向かって突出した支持部２７が設けられている。支持部２７の上部は、スピーカエンクロージャー２５の下部に接続されている。スピーカエンクロージャー２５は、支持部２７によって下から支えられ、前後方向に対してスピーカユニット２３がやや上方を向いた状態で固定されている。
【００２８】
サブウーファー１５の背面（前後方向でスピーカユニット２３と対向する面）には、スピーカ端子（図示略）が設けられ、当該スピーカ端子にサテライトスピーカ１２，１３の各々の音響ケーブル（図示略）が接続されている。また、サブウーファー１５は、背面に設けられた電源端子に接続されたＡＣケーブル（図示略）から交流電源が供給される。また、サブウーファー１５は、ＣＤプレーヤ等の音源から背面に設けられた入力端子に左右２チャンネルの音響信号が供給される。サブウーファー１５は、供給された音響信号を内蔵されるオーディオアンプにより増幅し、左右のサテライトスピーカ１２，１３の各々にチャンネルに応じた音響信号を供給するとともに、スピーカユニット２３からも音響信号を再生する。なお、サブウーファー１５は、上面（図１における上部の面）に電源のオンオフや音量を調整するスイッチを設けた構成でもよい。また、サブウーファー１５は、音響信号の供給を、背面の入力端子を介した有線による供給に限らず、無線による供給が可能な構成としてもよい。例えば、サブウーファー１５を、Ｂｌｕｅｔｏｏｔｈ（登録商標）による通信が可能な構成とし、ペアリングしたスマートフォンから無線通信で供給される楽曲を再生する構成としてもよい。
【００２９】
次に、サテライトスピーカ１２，１３の形状、構成等について説明する。図２は、サテライトスピーカ１２を左斜め上方から見た斜視図である。図３は、サテライトスピーカ１２の底面図である。サテライトスピーカ１２は、テーブル１７（図１参照）の上に載置されたベース部３１と、スピーカユニット３３が設けられたスピーカエンクロージャー３５と、スピーカエンクロージャー３５をベース部３１に対して保持する支持部３７とを備える。なお、もう一方のサテライトスピーカ１３は、支持部３７が左右対象な位置に設けられている点でサテライトスピーカ１２と異なるが、主な部分はサテライトスピーカ１２と同様であるため、以下の説明では、代表してサテライトスピーカ１２について説明し、サテライトスピーカ１３についての説明を適宜省略する。
【００３０】
図２に示すように、サテライトスピーカ１２のベース部３１は、上方から見た形状が円形となる板状に形成されている。図３に示すように、ベース部３１は、円形に凹設された下部４０が底板４１によって閉塞されている。ベース部３１は、円形の底板４１の中心に挿入されたねじ４２によって底板４１が下部４０に対して固定されており、底板４１の内側には底板４１と下部４０とで囲まれた空間が形成されている。底板４１には、一対の係合部４３が設けられている。一対の係合部４３の各々は、ねじ４２が挿入された底板４１の中心に対して前後方向で対象となる位置に設けられている。係合部４３は、底板４１を上下方向に貫通して形成されており、下方から見た形状が前後方向及び左右方向に延びる十字形状をなしている。係合部４３は、十字形状の中心部が広く開口されており、十字に延びた部分の端部４７の角が丸みを帯びている。この係合部４３は、サテライトスピーカ１２，１３を壁や天井に係止固定するためのものである。
【００３１】
例えば、サテライトスピーカ１２を天井に固定する場合には、天井に固定した２つのねじの各々を、各係合部４３の十字形状の中心部から挿通し、底板４１の内側の内部空間にねじの頭が挿入された状態とする。この状態で、サテライトスピーカ１２を、天井に固定したねじが並設される方向にスライドさせることで、ねじの頭が端部４７に嵌め込まれる。これにより、サテライトスピーカ１２は、２つのねじの頭が端部４７に係合され、天井に対して固定された状態となる。
【００３２】
また、図２に示すように、スピーカエンクロージャー３５は、前後方向に延びる円筒形状に形成され、前面側の円形の開口にスピーカユニット３３が取り付けられている。スピーカエンクロージャー３５は、円筒形状の中心軸からの距離、即ち、円筒形状の半径が前方から後方に向かって徐々に縮径した円錐台形状となっている。従って、スピーカエンクロージャー３５は、左右方向から見た形状が略台形状をなしている。
【００３３】
また、支持部３７は、上下方向に延びる棒状に形成されており、ベース部３１の上方にスピーカエンクロージャー３５を保持している。支持部３７の基端部５１は、上下方向に延びる円柱形状の連結部５３の下端部に連続して形成され、所定の角度を以て右側に湾曲している。基端部５１は、ベース部３１の左側の側面４９に固定されている。支持部３７は、ベース部３１に対して基端部５１が固定されることにより、上下方向に対して所定の角度を以て後方側に傾いた状態で固定されている（図７参照）。
【００３４】
また、支持部３７の先端部５５は、上下方向に延びる連結部５３の上端部に連続して形成され、所定の角度を以て右側に向かって湾曲している。スピーカエンクロージャー３５は、左側の外周面を貫通する貫通孔６１が形成されている。貫通孔６１には、後述するクリック機構部７１が有する歯車部材７５の円筒部９１が挿通され、その一部が外部に突出している。支持部３７の先端部５５は、この円筒部９１に固定されている。なお、支持部３７の内部には、基端部５１と先端部５５とを結ぶ貫通孔（図示略）が形成されており、この貫通孔内にスピーカユニット３３に接続される音響ケーブルが収容されている。この音響ケーブルが、ベース部３１から外部に引き出され、サブウーファー１５の背面のスピーカ端子に接続される。
【００３５】
図４は、サテライトスピーカ１２の断面を模式的に示した図であり、サテライトスピーカ１２を右側から見た図である。図４に示すように、スピーカエンクロージャー３５は、左側（図４の紙面直交方向の奥側）の内壁６３にクリック機構部７１が取り付けられている。クリック機構部７１は、スピーカエンクロージャー３５を支持部３７に対して回転可能に保持するとともに、所定の回転角度ごとにスピーカエンクロージャー３５を位置決めするものである。
【００３６】
クリック機構部７１は、ケース７３と、歯車部材７５と、歯車部材７５の直径を前後方向で挟む一対のばね７７とを有している。ケース７３は、歯車部材７５が収容された歯車収容部７９と、歯車収容部７９の前後に設けられ各々にばね７７が収容されたばね収容部８１とを有している。図５は、歯車部材７５を外した状態のケース７３の平面図を示している。図５に示すように、歯車収容部７９は、左右方向から見た形状が略円形をなし、外周部分には４つのねじ止め部７９Ａが形成されている。ねじ止め部７９Ａは、歯車収容部７９の外周に沿って等間隔（略９０度間隔）に形成されている。ねじ止め部７９Ａは、歯車収容部７９の外周部分から径方向の外側に向かって突出して形成されており、突出した部分には左右方向に貫通した貫通孔７９Ｂが形成されている。ケース７３は、ねじ止め部７９Ａの貫通孔７９Ｂに対して左右方向に挿通されたねじ６５（図４参照）によってスピーカエンクロージャー３５の内壁６３に対して固定されている。
【００３７】
また、歯車収容部７９には、歯車部材７５の大きさに合わせて円筒形状に凹設された凹設部８３が形成されている。凹設部８３の底部８３Ａ（図５の紙面直交方向の奥側の面）は、円形をなし、その中央部に円形の貫通孔８５が形成されている。この貫通孔８５には、歯車部材７５が挿入される。貫通孔８５は、上記したスピーカエンクロージャー３５の貫通孔６１（図２参照）と連通している。
【００３８】
図６は、歯車部材７５の斜視図を示している。図６に示すように、歯車部材７５は、円筒部９１と、歯車部９３とを有している。円筒部９１は、略円柱形状に形成され、円柱形状の軸方向に貫通する挿通孔９１Ａが形成されている。この挿通孔９１Ａには、支持部３７の先端部５５（図２参照）が挿入される。挿通孔９１Ａは、先端部５５の大きさに合わせて形成されており、内周面には当接部９１Ｂが形成されている。当接部９１Ｂは、挿通孔９１Ａの周方向に沿って９０度ごとに形成され、合計で４つ設けられている。当接部９１Ｂは、挿通孔９１Ａの内周面から径方向の内側に向かって突出し、周方向の幅を同一としながら挿通孔９１Ａの軸方向に沿って形成された略直方体形状をなしている。当接部９１Ｂの各々は、挿通孔９１Ａに挿入された先端部５５の外周面に当接し、先端部５５を挿通孔９１Ａの中心に保持する。また、挿通孔９１Ａは、外周面を径方向に貫通した固定孔９１Ｃが形成されている。支持部３７は、固定孔９１Ｃに外側から挿入したねじ等の締結部材が先端部５５に螺合されることによって円筒部９１が先端部５５に固定される。これにより、支持部３７は、先端部５５に歯車部材７５が固定される。そして、図５に示す底部８３Ａの貫通孔８５には、歯車部材７５の円筒部９１が固定された支持部３７の先端部５５が挿入される。円筒部９１の一部は、スピーカエンクロージャー３５の貫通孔６１から外部に突出する（図２参照）。
【００３９】
また、円筒部９１は、軸方向の一端に歯車部９３が設けられている。歯車部９３は、円板形状をなし、平板面の中央部に円筒部９１が一体形成されている。従って、歯車部９３の中心は、円筒部９１の中心軸上となっている。また、歯車部９３は、支持部３７内に挿通された音響ケーブルを通すための挿通孔９３Ａが中心部分に形成されている（図４参照）。また、歯車部９３は、円形の外周に沿って歯部９３Ｂが形成されている。歯部９３Ｂの各々は、周方向の中央部が頂点となる円弧状をなし、径方向の内側に向かって凹設されている。歯部９３Ｂの各々は、隣り合う歯部９３Ｂ同士が隣接し周方向に向かって連続して形成されている。歯部９３Ｂには、図４に示すばね収容部８１に収容されたばね７７の先端に配置されるボール部材７８が嵌合する。
【００４０】
図５に示すように、ケース７３のばね収容部８１の各々は、左側（図５における紙面直交方向の奥側）に向かって凹設され、左右方向から見た形状が前後方向に向かって延びる長方形状をなしている。ばね収容部８１は、延設方向の一方側（歯車収容部７９側）が凹設部８３と連通し、他方側には壁部８１Ａが形成されている。従って、ばね収容部８１の各々は、凹設部８３側から径方向の外側に向かって突出し、突出した先端が壁部８１Ａによって閉塞された溝を構成している。
【００４１】
図４に示すように、ばね収容部８１の各々には、ばね７７が収容されている。ばね７７の各々は、一端がばね収容部８１の壁部８１Ａに保持されており、他端にボール部材７８が設けられている。ボール部材７８は、ばね７７が弾性変形することによって、ばね収容部８１の溝に沿って移動する。歯車部９３の歯部９３Ｂには、ばね７７によって付勢されたボール部材７８が径方向の外側から嵌め込まれる。これにより、クリック機構部７１は、図４における紙面直交方向（左右方向）に沿った直線を回転軸として、ケース７３が歯車部材７５に対して回転する。そして、クリック機構部７１は、スピーカエンクロージャー３５を支持部３７に対して回転可能に保持する。また、クリック機構部７１は、回転方向の力が加わると、ボール部材７８が嵌め込まれる歯部９３Ｂが周方向で隣合う歯部９３Ｂに変更されることによって、所定の回転角度ごとに位置決めされる。これにより、図７に示すように、本実施形態のサテライトスピーカ１２は、使用者等がスピーカエンクロージャー３５を回転方向（図７の矢印で示す方向）に回すと、所定の回転角度ごとにスピーカエンクロージャー３５が位置決めされる。
【００４２】
また、図６に示すように、歯車部９３は、平板面に係合凸部９３Ｃが形成されている。係合凸部９３Ｃは、円筒部９１よりも径方向の外側に形成され、歯車部９３の平板面から突出している。一方で、図５に示すように、凹設部８３の底部８３Ａには、係合凸部９３Ｃが挿入される係合凹部８７が形成されている。係合凹部８７は、底部８３Ａの周方向、即ち、クリック機構部７１の回転方向に沿った溝を構成している。係合凹部８７は、回転方向に沿って所定の回転角度（例えば、０度から３００度）の範囲内で形成されている。このため、クリック機構部７１は、所定の回転角度だけ回転すると、ケース７３の係合凹部８７に挿入した歯車部材７５の係合凸部９３Ｃが、ケース７３の係合凹部８７の端部に当接する。これにより、スピーカエンクロージャー３５は、所定の回転角度の範囲以上は回転しないようになっている。
【００４３】
ちなみに、サテライトスピーカ１２，１３は、スピーカ装置の一例である。クリック機構部７１は、回動固定機構の一例である。歯車部材７５は、固定部の一例である。ばね７７は、弾性部材の一例である。係合凸部９３Ｃ及び係合凹部８７は、規制部の一例である。
【００４４】
以上、上記した実施形態によれば、以下の効果を奏する。
（１）サテライトスピーカ１２のスピーカエンクロージャー３５は、基端部５１がベース部３１の側面４９に固定された支持部３７の先端部５５に固定されクリック機構部７１によって、支持部３７の先端部５５に対して回転可能に保持されている。クリック機構部７１は、スピーカエンクロージャー３５を所定の回転角度ごとに位置決めして保持する（図７参照）。これにより、使用者等は、例えば、支持部３７を保持しながらスピーカエンクロージャー３５を回転させるだけで、スピーカエンクロージャー３５に設けられたスピーカユニット３３から放射される音波の放音方向を容易に変更することができる。
【００４５】
（２）クリック機構部７１は、支持部３７の先端部５５に歯車部材７５が固定されている。スピーカエンクロージャー３５の内壁６３には、ケース７３が固定されている。ケース７３の２つのばね収容部８１の各々には、ばね７７が収容されている。一対のばね７７は、一端が壁部８１Ａに保持されるとともに、他端の位置が歯車部材７５の歯車部９３に向かって変位する。ばね７７は、先端にボール部材７８が設けられており、弾性力によってボール部材７８を歯車部９３の歯部９３Ｂに嵌め込むことによってスピーカエンクロージャー３５を所定の回転角度ごとに位置決めする。当該サテライトスピーカ１２では、従来のスピーカ装置で用いられていた角度調整ねじの締め付け等が不要となる。このため、角度調整ねじの締め付けが不十分となる等の不具合が発生しない一方で、スピーカエンクロージャー３５の回転角度を保持する保持力がばね７７の弾性力によって一定の大きさに維持されるため、放音方向をより確実に保持できる。
【００４６】
（３）歯車部材７５の歯車部９３は、円形の外周部分に複数の歯部９３Ｂが設けられている。ばね７７の各々は、歯車部９３の径方向の外側からボール部材７８を歯部９３Ｂに嵌め込むとともに、スピーカエンクロージャー３５の回転に応じて周方向で隣り合う歯部９３Ｂにボール部材７８を嵌め込んで位置決めする。このような構成では、歯部９３Ｂの形状、個数や周方向に並ぶ間隔等を変更することによって、回転動作するスピーカエンクロージャー３５をどのような回転角度に位置決めするかが調整可能となる。
【００４７】
（４）クリック機構部７１は、ばね７７とボール部材７８との組が２組設けられ、その各々が歯車部９３の径方向において互いに対向する対称な位置となっている（図４参照）。ばね７７は、歯車部９３の径方向の両側からボール部材７８を歯部９３Ｂに嵌め込んで歯車部９３の位置を保持する。このような構成では、所定の回転角度に位置決めしたスピーカエンクロージャー３５に音楽再生中の振動等が発生したとしても、スピーカエンクロージャー３５をより安定的に保持することが可能となるとともに、ばね７７による付勢力によって回転軸にかかる負担を軽減する、または無くすことができる。
【００４８】
（５）歯車部９３は、平板面に係合凸部９３Ｃが形成されている（図６参照）。一方で、凹設部８３の底部８３Ａには、係合凸部９３Ｃが挿入される係合凹部８７が形成されている（図５参照）。クリック機構部７１は、所定の回転角度だけ回転すると、歯車部材７５の係合凸部９３Ｃがケース７３の係合凹部８７に係合する。このような構成では、スピーカエンクロージャー３５が所定の回転角度の範囲以上は回転しないため、回転動作にともなってスピーカユニットの音響ケーブルが断線等する不具合が防止可能となる。
【００４９】
（６）サテライトスピーカ１２は、クリック機構部７１が円筒形状のスピーカエンクロージャー３５に内蔵されているため、小型化を図ることが可能である。
【００５０】
（７）支持部３７は、スピーカユニット３３の音響ケーブルが挿通可能な挿通孔が形成されており、音響ケーブルを保護し断線等を防止することが可能となっている。
【００５１】
尚、本発明は上記実施形態に限定されるものではなく、本発明の趣旨を逸脱しない範囲内での種々の改良、変更が可能であることは言うまでもない。
例えば、上記実施形態では、スピーカシステム１０は、１つの低音用のサブウーファー１５と、２つのサテライトスピーカ１２，１３とを備えており、所謂２．１ｃｈサラウンドの放音を実現していたが、スピーカ装置の数はこれよりも多くてもよく、あるいは少なくてもよい。例えば、５．１ｃｈシステムに対応する数のスピーカ装置を備えていてもよいし、サテライトスピーカ１２を１つだけ用いてモノラル再生に使用してもよい。
【００５２】
また、上記したクリック機構部７１の構成は、一例であり、適宜変更可能である。例えば、歯車部９３の歯部９３Ｂを、径方向の外側に向かって突出した円弧状に形成してもよい。また、ばね７７及びボール部材７８は、１組でもよいし、３組以上でもよい。また、ばね７７及びボール部材７８は、歯車部９３に対して径方向からボール部材７８を当接させずに、歯車部９３の平板面に対して直交する方向から当接させる構成でもよい。より具体的には、歯車部９３の平板部分に、例えば、周方向に沿って等間隔に形成された凹部を設ける。そして、この凹部に平板面の直交方向からボール部材７８を嵌め込んで位置決めを行う構成でもよい。図４に示す場合では、例えば、紙面直交方向の両側から歯車部９３を挟むようにばね７７及びボール部材７８を設けた構成となる。
【００５３】
また、スピーカエンクロージャー３５の回転を規制する構成は、係合凸部９３Ｃ及び係合凹部８７に限らず、他の構成、例えば、スピーカエンクロージャー３５が所定の回転角度だけ回転すると支持部３７に係合する突起を、スピーカエンクロージャー３５の外周面に設けてもよい。また、サテライトスピーカ１２は、回転を規制する構成を設けない構成でもよい。
【００５４】
また、サテライトスピーカ１２は、クリック機構部７１をスピーカエンクロージャー３５に内蔵しなくともよい。この構成では、極力音響に無関係な機構をスピーカエンクロージャー３５内に設けないことで、音質の向上が期待できる。
【００５５】
また、上記実施形態では、弾性部材としてばね７７を用いたが、他の弾性変形が可能な部材を用いてもよい。
また、上記実施形態のサテライトスピーカ１２では、スピーカエンクロージャー３５が１つの支持部３７によってベース部３１に対して保持されていたが、これに限らず、左右方向で対向する２つの支持部３７でスピーカエンクロージャー３５を回転可能に保持する構成でもよい。
また、サブウーファー１５を、サテライトスピーカ１２と同様に、スピーカエンクロージャー２５が回転可能な構成としてもよい。
【００５６】
また、上記実施形態では、本願における回動固定機構としてのクリック機構部７１を、サテライトスピーカ１２（スピーカ装置）に適用したが、回動固定機構を適用する装置等は、スピーカ装置に限定されない。例えば、角度の調整が必要な他の装置（照明装置、レバー、回転スイッチなど）にも適用できることは言うまでもない。
【符号の説明】
【００５７】
１０  スピーカシステム、１２，１３  サテライトスピーカ、３１  ベース部、３３  スピーカユニット、３５  スピーカエンクロージャー、３７  支持部、５１  基端部、５５  先端部、７１  クリック機構部、７５  歯車部材、７７  ばね、７８  ボール部材、８１  ばね収容部、８７  係合凹部、９３Ｂ  歯部、９３Ｃ  係合凸部。
【図１】
2016051998.tif 000003
【図２】
2016051998.tif 000004
【図３】
2016051998.tif 000005
【図４】
2016051998.tif 000006
【図５】
2016051998.tif 000007
【図６】
2016051998.tif 000008
【図７】
2016051998.tif 000009